(57)【要約】      （修正有）【課題】結合するオスメスコネクタを被覆して、ノイズを低減し、信号伝送の品質を改善し、繰り返し使用できるシールドケースを提供する。【解決手段】シールドケースは、第一ハウジング１１０ａと、第二ハウジング１２０ａと、第一電磁シールド層１４０ａと、第二電磁シールド層１５０ａと、を含む。第二ハウジング１２０ａは、第一ハウジング１１０ａに開閉可能に設けられる。第一電磁シールド層１４０ａは、第一ハウジング１１０ａに配置される。第二電磁シールド層１５０ａは、第二ハウジング１２０ａに配置される。第二ハウジング１２０ａが第一ハウジング１１０ａに対して閉じられる時、収容空間は、第一ハウジング１１０ａと第二ハウジング１２０ａの間に形成され、収容空間は、第一電磁シールド層１４０ａと第二電磁シールド層１５０ａによって共に取り囲まれる。【選択図】図５
0003218176.tif 000002
【実用新案登録請求の範囲】
【請求項１】
第一ハウジングと、
前記第一ハウジングに開閉可能に設けられる第二ハウジングと、
前記第一ハウジングに配置される第一電磁シールド層と、
前記第二ハウジングに配置される第二電磁シールド層と、を含み、
前記第二ハウジングが前記第一ハウジングに対して閉じられる時、収容空間は、前記第一ハウジングと前記第二ハウジングの間に形成され、前記収容空間は、前記第一電磁シールド層と前記第二電磁シールド層によって共に取り囲まれるシールドケース。
【請求項２】
前記第一ハウジングは、互いに離れた第一側と第二側を有し、前記第二ハウジングは、互いに離れた第三側と第四側を有し、前記第一ハウジングの前記第一側は、前記第二ハウジングの前記第三側に枢設され、前記第一ハウジングの前記第二側は、前記第二ハウジングの前記第四側に取り外し可能に固定される請求項１に記載のシールドケース。
【請求項３】
前記第一ハウジングは、前記第二側に位置する第一固定部を含み、前記第二ハウジングは、前記第四側に位置し、前記第一固定部に対応する第二固定部を含み、前記第一固定部と前記第二固定部のうちの一方は、バックルであり、他方はラッチである請求項２に記載のシールドケース。
【請求項４】
前記第一ハウジングは、互いに離れた第一側と第二側を有し、前記第二ハウジングは、互いに離れた第三側と第四側を有し、前記第一ハウジングの前記第一側は、前記第二ハウジングの前記第三側に取り外し可能に固定され、前記第一ハウジングの前記第二側は、前記第二ハウジングの前記第四側に取り外し可能に固定される請求項１に記載のシールドケース。
【請求項５】
前記第一ハウジングは、前記第一側に位置する第一固定部及び前記第二側に位置する第二固定部を含み、前記第二ハウジングは、前記第三側に位置し、前記第一固定部に対応する第三固定部及び前記第四側に位置し、前記第二固定部に対応する第四固定部を含み、前記第一固定部と前記第三固定部のうちの一方は、バックルであり、他方はラッチであり、前記第二固定部と前記第四固定部のうちの一方は、バックルであり、他方はラッチである請求項４に記載のシールドケース。
【請求項６】
前記第一電磁シールド層は、前記第一ハウジングの内側表面、又は、外側表面に配置される、又は、前記第一ハウジングの内部に埋設され、前記第二電磁シールド層は、前記第二ハウジングの内側表面、又は、外側表面に配置される、又は、前記第二ハウジングの内部に埋設される請求項１に記載のシールドケース。
【請求項７】
前記第一電磁シールド層と前記第二電磁シールド層の少なくとも一つは、金属層である請求項１に記載のシールドケース。
【請求項８】
前記第一電磁シールド層と前記第二電磁シールド層の少なくとも一つは、電磁波吸収層である請求項１に記載のシールドケース。
【請求項９】
前記第一ハウジングと前記第二ハウジングは、絶縁材質である請求項１に記載のシールドケース。
【請求項１０】
第一電磁シールドハウジングと、
前記第一電磁シールドハウジングに開閉可能に設けられる第二電磁シールドハウジングと、を含み、
前記第二電磁シールドハウジングが前記第一電磁シールドハウジングに対して閉じられる時、収容空間は、前記第一電磁シールドハウジングと前記第二電磁シールドハウジングの間に形成され、前記収容空間は、前記第一電磁シールドハウジングと前記第二電磁シールドハウジングによって共に取り囲まれるシールドケース。
【請求項１１】
前記第一電磁シールドハウジングと前記第二電磁シールドハウジングの少なくとも一つは、金属ハウジングである請求項１０に記載のシールドケース。
【請求項１２】
前記第一電磁シールドハウジングと前記第二電磁シールドハウジングの少なくとも一つは、電磁波吸収材からなるハウジングである請求項１０に記載のシールドケース。
【考案の詳細な説明】
【技術分野】
【０００１】
本考案は、シールドケースに関するものであり、特に、ＲＦケーブル信号がノイズ干渉を受けるのを低減できるシールドケースに関するものである。
【背景技術】
【０００２】
ＲＦケーブルは、通信分野で広く用いられている電子部品である。一般的に、ＲＦケーブルは、同軸端子を有し、接続しようとする電子機器又は対応するケーブルに嵌め込む、又は結合させるのに用いられる。ＲＦケーブルの繰り返しの使用又は何回も差し込んだ後、同軸端子と電子機器又は対応するケーブルとの接続部位は、完全に密着できなくなりやすく、ノイズを入り易くし、信号伝送の品質に影響する。
【考案の概要】
【考案が解決しようとする課題】
【０００３】
本考案は、結合するオスメスコネクタを被覆して、ノイズを低減し、信号伝送の品質を改善し、繰り返し使用できるシールドケースを提供する。
【課題を解決するための手段】
【０００４】
本考案のシールドケースは、シールドケースは、第一ハウジングと、第二ハウジングと、第一電磁シールド層と、第二電磁シールド層と、を含む。第二ハウジングは、第一ハウジングに開閉可能に設けられる。第一電磁シールド層は、第一ハウジングに配置される。第二電磁シールド層は、第二ハウジングに配置される。第二ハウジングが第一ハウジングに対して閉じられる時、収容空間は、第一ハウジングと第二ハウジングの間に形成され、収容空間は、第一電磁シールド層と第二電磁シールド層によって共に取り囲まれる。
【０００５】
本考案の実施形態において、上記第一ハウジングは、互いに離れた第一側と第二側を有し、第二ハウジングは、互いに離れた第三側と第四側を有する。第一ハウジングの第一側は、第二ハウジングの第三側に枢設され、第一ハウジングの第二側は、第二ハウジングの第四側に取り外し可能に固定される。
【０００６】
本考案の実施形態において、上記第一ハウジングは、第二側に位置する第一固定部を含む。第二ハウジングは、第四側に位置し、第一固定部に対応する第二固定部を含む。第一固定部と第二固定部のうちの一方は、バックルであり、他方はラッチである。
【０００７】
本考案の実施形態において、上記第一ハウジングは、互いに離れた第一側と第二側を有する。第二ハウジングは、互いに離れた第三側と第四側を有する。第一ハウジングの第一側は、第二ハウジングの第三側に取り外し可能に固定され、第一ハウジングの第二側は、第二ハウジングの第四側に取り外し可能に固定される。
【０００８】
本考案の実施形態において、上記第一ハウジングは、第一側に位置する第一固定部及び第二側に位置する第二固定部を含む。第二ハウジングは、第三側に位置し、第一固定部に対応する第三固定部及び第四側に位置し、第二固定部に対応する第四固定部を含む。第一固定部と第三固定部のうちの一方は、バックルであり、他方はラッチであり、第二固定部と第四固定部のうちの一方は、バックルであり、他方はラッチである。
【０００９】
本考案の実施形態において、上記第一電磁シールド層は、第一ハウジングの内側表面、又は、外側表面に配置される、又は、第一ハウジングの内部に埋設される。第二電磁シールド層は、第二ハウジングの内側表面、外側表面に配置される、又は、第二ハウジングの内部に埋設される。
【００１０】
本考案の実施形態において、上記第一電磁シールド層と第二電磁シールド層の少なくとも一つは、金属層である。
【００１１】
本考案の実施形態において、上記第一電磁シールド層と第二電磁シールド層の少なくとも一つは、電磁波吸収層である。
【００１２】
本考案の実施形態において、上記第一ハウジングと第二ハウジングは、絶縁材質である。
【００１３】
本考案のシールドケースは、第一電磁シールドハウジングと、第二電磁シールドハウジングと、を含む。第二電磁シールドハウジングは、第一電磁シールドハウジングに開閉可能に設けられる。第二電磁シールドハウジングが第一電磁シールドハウジングに対して閉じられる時、収容空間は、第一電磁シールドハウジングと第二電磁シールドハウジングの間に形成され、収容空間は、第一電磁シールドハウジングと第二電磁シールドハウジングによって共に取り囲まれる。
【００１４】
本考案の実施形態において、上記第一電磁シールドハウジングと第二電磁シールドハウジングの少なくとも一つは、金属ハウジングである。
【００１５】
本考案の実施形態において、上記第一電磁シールドハウジングと第二電磁シールドハウジングの少なくとも一つは、電磁波吸収材からなるハウジングである。
【考案の効果】
【００１６】
上記に基づき、本考案のシールドケースは、第一電磁シールド層と第二電磁シールド層が形成する収容空間によって、又は、第一電磁シールドハウジングと第二電磁シールドハウジングが形成する収容空間によって、シールドケース外部からのノイズを遮蔽し、ノイズがシールドケースに出入りする確率を低減し、繰り返し使用できるようにする。
【図面の簡単な説明】
【００１７】
本考案の上述した特徴と利点を更に明確化するために、以下、幾つかの実施形態を挙げて図面と共に詳細な内容を説明する。
【００１８】
【図１】本考案の実施形態におけるシールドケースが閉じた状態の立体模式図である。
【図２】図１に示すシールドケースが開いた状態の別の角度の立体模式図である。
【図３】図１に示すシールドケースが開いた状態の別の角度の立体模式図である。
【図４】図２に示すシールドケースのＡ−Ａ線に沿った断面図である。
【図５】図１に示すシールドケースによって、結合する二つのコネクタが被覆される時の断面図である。
【図６】本考案の別の実施形態におけるシールドケースの断面図である。
【図７】本考案の別の実施形態におけるシールドケースの断面図である。
【図８】本考案の別の実施形態におけるシールドケースの断面図である。
【図９】本考案の別の実施形態におけるシールドケースが分解した状態の立体模式図である。
【考案を実施するための形態】
【００１９】
本考案の前述及びその他の技術的内容、特長及び効果について、以下に、図面を参考にした好適な実施形態と併せた詳細説明で明確に示す。以下の実施形態で言及する方向の用語、例えば、上、下、左、右、前又は後等は、図面の方向の参考でしかない。したがって、使用される方向の用語は、説明に用いられ、本発明を限定しない。また、以下の各実施形態において、同じ又は相似する部材は同じ又は相似する符号を使用する。
【００２０】
図１は、本考案の実施形態におけるシールドケースが閉じた状態の立体模式図である。図２及び図３は、それぞれ図１に示すシールドケースが開いた状態の別の角度の立体模式図である。図１、図２及び図３を参照すると、本実施形態のシールドケース１００ａは、第一ハウジング１１０ａと、第二ハウジング１２０ａと、第一電磁シールド層１４０ａと、第二電磁シールド層１５０ａと、を含む。第二ハウジング１２０ａは、第一ハウジング１１０ａに開閉可能に設けられる。第一電磁シールド層１４０ａは、第一ハウジング１１０ａに配置される。第二電磁シールド層１５０ａは、第二ハウジング１２０ａに配置される。
【００２１】
詳細には、本実施形態の第一ハウジング１１０ａは、互いに離れた第一側と第二側を有し、第二ハウジング１２０ａは、互いに離れた第三側と第四側を有する。第一ハウジング１１０ａの第一側は、枢設部１３０によって第二ハウジング１２０ａの第三側に枢設され、第一ハウジング１１０ａの第二側は、第二ハウジング１２０ａの第四側に取り外し可能に固定され、枢設部１３０は、例えば回転軸であるが、その他の枢設機能を有する構造であればよく、本考案は、ここでは、限定しない。
【００２２】
さらに、本実施形態において、第一ハウジング１１０ａは、第二側に位置する第一固定部１１２を含み、第二ハウジング１２０ａは、第四側に位置し、第一固定部１１２に対応する第二固定部１２２を含む。第一固定部１１２と第二固定部１２２のうちの一方は、バックルであり、他方はラッチである。具体的には、第一固定部１１２と第二固定部１２２の設置は、シールドケース１００ａの作用時に緩まないようにするためであり、本実施形態の両者の数は、それぞれ二つである。しかしながら、第一固定部１１２と第二固定部１２２の形式は、これに限定されない。その他の実施形態において、第一固定部１１２と第二固定部１２２を互いに固定する方法は、接着、接合又は連結であってもよい。第一固定部１１２と第二固定部１２２の対応形式及び数について、本考案は、ここでは、限定せず、第一ハウジング１１０ａと第二ハウジング１２０ａを互いに固定する効果を達成できればよく、いずれも本考案の保護範囲である。
【００２３】
図３に示すように、第一電磁シールド層１４０ａは、第一ハウジング１１０ａの内側表面に配置され、第二電磁シールド層１５０ａは、第二ハウジング１２０ａの内側表面に配置される。本実施形態において、第一電磁シールド層１４０ａと第二電磁シールド層１５０ａの少なくとも一つは金属層であり、当然ながら、シールドケース１００ａ外部からのノイズを遮蔽するためのその他の遮蔽効果を有する電磁波吸収材であってもよい。また、第一ハウジング１１０ａと第二ハウジング１２０ａは絶縁材質であり、目的は、ユーザーがシールドケース１００ａを操作する時、第一電磁シールド層１４０ａ又は第二電磁シールド層１５０ａ上の静電気に触れて感電しないようにすることである。
【００２４】
注意すべきこととして、第一ハウジング１１０ａと第二ハウジング１２０ａは、それぞれ異なる材質を用いて製造されてもよく、且つ、第一電磁シールド層１４０ａと第二電磁シールド層１５０ａもそれぞれ異なる材質を用いて製造されてもよく、それぞれ静電気を絶縁し、外界ノイズを遮蔽する効果を達成できればよい。
【００２５】
図４は、図２に示すシールドケースのＡ−Ａ線に沿った断面図である。図５は、図１に示すシールドケースによって、結合する二つのコネクタが被覆される時の断面図である。図４及び図５を参照すると、本実施形態において、ＲＦケーブル２００は、電子デバイス３００に電気的に接続するのに適し、ＲＦケーブル２００は、第一接続部２１０を含み、電子デバイス３００は、第二接続部３１０を含み、ＲＦケーブル２００は、第一接続部２１０によって、電子デバイス３００の第二接続部３１０と相互に接続される。ＲＦケーブル２００は、電子デバイス３００に接続された後、ユーザーは本実施形態のシールドケース１００ａを第一接続部２１０と第二接続部３１０上に取り付けて、第一ハウジング１１０ａと第二ハウジング１２０ａを第一固定部１１２及び第二固定部１２２によって互いに固定できる。
【００２６】
具体的には、第二ハウジング１２０ａが第一ハウジング１１０ａに対して閉じられる時、収容空間Ｓは、第一ハウジング１１０ａと第二ハウジング１２０ａの間に形成され、収容空間Ｓは、第一電磁シールド層１４０ａと第二電磁シールド層１５０ａによって共に取り囲まれる。さらに、ユーザーは、第一電磁シールド層１４０ａをＲＦケーブル２００の第一接続部２１０と電子デバイス３００の第二接続部３１０の上半分に調整し、第二電磁シールド層１５０ａをＲＦケーブル２００の第一接続部２１０と電子デバイス３００の第二接続部３１０の下半分に調整し、第二固定部１２２のラッチを第一固定部１１２のバックルに嵌め込んで、第一接続部２１０と第二接続部３１０を収容空間Ｓ内部に位置させる。第一電磁シールド層１４０ａと第二電磁シールド層１５０ａは、遮蔽効果を有する金属又は電磁波吸収材からなることから、シールドケース１００ａ外部からのノイズを遮蔽でき、ＲＦケーブル２００と電子デバイス３００を接続するための第一接続部２１０と第二接続部３１０に流れ込むノイズを減少させ、ＲＦケーブル２００の信号伝送の品質を向上させる。これ以外に、ＲＦケーブル２００の使用完了後、ユーザーは、第一固定部１１２を第二固定部１２２から離して、第一ハウジング１１０ａと第二ハウジング１２０ａを分離させて、シールドケース１００ａを第一接続部２１０と第二接続部３１０上から取り除くことができる。したがって、シールドケース１００ａは、複数本の異なるＲＦケーブルに繰り返し使用できる。
【００２７】
図６は、本考案の別の実施形態におけるシールドケースの断面図である。図４及び図６を同時に参照すると、本実施形態のシールドケース１００ｂと図４のシールドケース１００ａは相似しており、両者の差異は、本実施形態のシールドケース１００ｂの第一電磁シールド層１４０ｂは、第一ハウジング１１０ｂの内部に埋設され、第二電磁シールド層１５０ｂは、第二ハウジング１２０ｂの内部に埋設されることである。即ち、第一電磁シールド層１４０ｂは、第一ハウジング１１０ｂによって被覆され、第二電磁シールド層１５０ｂは、第二ハウジング１２０ｂによって被覆される。このように、シールドケース１００ｂは、シールドケース１００ａと同じノイズ遮蔽効果を達成できる。また、ユーザーは、シールドケース１００ｂの内部にフリーハンドタッチする時、第一電磁シールド層１４０ｂは、第一ハウジング１１０ｂの内部に埋設され、第二電磁シールド層１５０ｂは、第二ハウジング１２０ｂの内部に埋設される配置により、ユーザーは、第一電磁シールド層１４０ｂ又は第二電磁シールド層１５０ｂに直接触れない。
【００２８】
図７は、本考案の別の実施形態におけるシールドケースの断面図である。図４及び図７を同時に参照すると、本実施形態のシールドケース１００ｃと図４のシールドケース１００ａは相似しており、両者の差異は、本実施形態のシールドケース１００ｃの第一電磁シールド層１４０ｃは、第一ハウジング１１０ｃの外側表面に配置され、第二電磁シールド層１５０ｃは、第二ハウジング１２０ｃの外側表面に配置されることである。このように、本実施形態のシールドケース１００ｃは、シールドケース１００ａと同じ大きさの第一ハウジング１１０ｃと第二ハウジング１２０ｃを使用する情況下において、シールドケース１００ａに対してさらに大きな収容空間Ｓを形成でき、これにより、さらに多くの種類及びサイズのＲＦケーブルに適用でき、且つ、シールドケース１００ａと同じノイズ遮蔽効果を達成できる。
【００２９】
図８は、本考案の別の実施形態におけるシールドケースの断面図である。図４及び図８を同時に参照すると、本実施形態のシールドケース１００ｄと図４のシールドケース１００ａは相似しており、両者の差異は、本実施形態のシールドケース１００ｄは、第一電磁シールドハウジング１１０ｄ及び第二電磁シールドハウジング１２０ｄによって直接形成されていることである。例を挙げると、第一電磁シールドハウジング１１０ｄは、金属ハウジング又は遮蔽効果を有する電磁波吸収材からなるハウジングであってもよく、第二電磁シールドケースハウジング１２０ｄは、金属ハウジング又は遮蔽効果を有する電磁波吸収材からなるハウジングであってもよい。このように、本実施形態のシールドケース１００ｄは、第一電磁シールド層及び第二電磁シールド層を第一ハウジング及び第二ハウジング上に配置する工程を削減して、シールドケース１００ａに対して、シールドケース１００ｄは、製造上、さらに簡便になり、且つ、シールドケース１００ａと同じノイズ遮蔽効果を達成できる。
【００３０】
図９は、本考案の別の実施形態におけるシールドケースが分解した状態の立体模式図である。図３と図９を同時に参照すると、本実施形態のシールドケース１００ｅと図３のシールドケース１００ａは相似しており、両者の差異は、本実施形態のシールドケース１００ｅにおいて、第一ハウジング１１０ｅの第一側は、第二ハウジング１２０ｅの第三側に取り外し可能に固定され、第一ハウジング１１０ｅの第二側は、第二ハウジング１２０ｅの第四側に取り外し可能に固定されることである。具体的には、第一ハウジング１１０ｅは、第一側に位置する第一固定部１１２ｅ及び第二側に位置する第二固定部１１４ｅを含む。第二ハウジング１２０ｅは、第三側に位置し、第一固定部１１２ｅに対応する第三固定部１２２ｅ及び第四側に位置し、第二固定部１１４ｅに対応する第四固定部１２４ｅを含む。本実施形態において、第一固定部１１２ｅと第三固定部１２２ｅのうちの一方は、バックルであり、他方はラッチであり、第二固定部１１４ｅと第四固定部１２４ｅのうちの一方は、バックルであり、他方はラッチである。
【００３１】
さらに、第一ハウジング１１０ｅ及び第二ハウジング１２０ｅは、相互に自由に移動できる。ユーザーは、シールドケース１００ｅをＲＦケーブルと共に作用させたい時、第二ハウジング１２０ｅの第三固定部１２２ｅのラッチを第一ハウジング１１０ｅの第一固定部１１２ｅのバックルに嵌め込み、第一ハウジング１１０ｅの第二固定部１１４ｅのラッチを第二ハウジング１２０ｅの第四固定部１２４ｅのバックルに嵌め込んで、ＲＦケーブルと電子デバイスの接続部位を第一ハウジング１１０ｅと第二ハウジング１２０ｅの間に形成される収容空間に位置させて、第一電磁シールド層１４０ｅと第二電磁シールド層１５０ｅによって共に取り囲まれる。このように、シールドケース１００ｅは、シールドケース１００ａと同じノイズ遮蔽効果を達成できる。また、第一ハウジング１１０ｅと第二ハウジング１２０ｅは、幾何学上、完全に同じ構造であることから、単一の金型を使用して、第一ハウジング１１０ｅ及び第二ハウジング１２０ｅを製造でき、異なるハウジングの金型を設計及び製造する時間とコストを削減できる。
【００３２】
注意すべきこととして、本実施例において、第一固定部１１２ｅと第三固定部１２２ｅ及び第四固定部１２４ｅと第二固定部１１４ｅは、対応するバックル及びラッチであり、数はぞれぞれ二つである。しかしながら、第一固定部１１２ｅ、第二固定部１１４ｅ、第三固定部１２２ｅ、第四固定部１２４ｅの形式は、これに限定されない。その他の実施形態において、第一固定部１１２ｅと第三固定部１２２ｅ及び第二固定部１１４ｅと第四固定部１２４ｅを互いに固定する方法は、接着、接合又は連結であってもよい。第一固定部１１２ｅ、第二固定部１１４ｅ、第三固定部１２２ｅ、第四固定部１２４ｅの対応形式及び数について、本考案は、ここでは、限定せず、第一ハウジング１１０ｅと第二ハウジング１２０ｅを互いに固定する効果を達成できればよく、いずれも本考案の保護範囲である。
【００３３】
実施の測定により、周知のＲＦケーブルがシールドケース１００ａによって被覆される前と後の電磁波値からわかるように、ＲＦケーブルがシールドケース１００ａによって被覆される前、一般的な分析器に接続して、周波数２．４４８ＧＨｚの信号が入力された後、測定されたノイズ効率は、−８４．７４４ｄＢｍＷである。
【００３４】
一方、ＲＦケーブルは、シールドケース１００ａによって被覆され、同じ周波数範囲の信号を通す時、周波数分析器によって測定されたノイズ効率は、−９６．７０９ｄＢｍＷに下がり、一般的な使用状態の１／１０以下である。したがって、本考案のシールドケースは、効率的に外界のノイズがＲＦケーブルの信号伝送に与える影響を低減できる。
【００３５】
以上より、本考案のシールドケースは、第一電磁シールド層と第二電磁シールド層が形成する収容空間によって、又は、第一電磁シールドハウジングと第二電磁シールドハウジングが形成する収容空間によって、シールドケース外部からのノイズを遮蔽し、ノイズがシールドケースに出入りする確率を低減し、繰り返し使用できるようにする。
【００３６】
本考案は実施形態によって上述のとおり開示したが、本考案を限定するためのものではなく、当業者が本考案の精神及び範囲から逸脱しない範囲において、変更又は修正することが可能であり、本考案の保護範囲は、後続の請求の範囲で限定するものを基準とする。
【産業上の利用可能性】
【００３７】
本考案は、結合するオスメスコネクタを被覆して、ノイズを低減し、信号伝送の品質を改善し、繰り返し使用できるシールドケースを提供する。
【符号の説明】
【００３８】
１００ａ、１００ｂ、１００ｃ、１００ｄ、１００ｅ  シールドケース
１１０ａ、１１０ｂ、１１０ｃ、１１０ｅ  第一ハウジング
１１０ｄ  第一電磁シールドハウジング
１１２、１１２ｅ  第一固定部
１２０ａ、１２０ｂ、１２０ｃ、１２０ｅ  第二ハウジング
１２０ｄ  第二電磁シールドハウジング
１１４ｅ、１２２  第二固定部
１２２ｅ  第三固定部
１２４ｅ  第四固定部
１３０  枢設部
１４０ａ、１４０ｂ、１４０ｃ、１４０ｅ  第一電磁シールド層
１５０ａ、１５０ｂ、１５０ｃ、１５０ｅ  第二電磁シールド層
２００  ＲＦケーブル
２１０  第一接続部
３００  電子デバイス
３１０  第二接続部
Ｓ  収容空間
【図１】
0003218176.tif 000003
【図２】
0003218176.tif 000004
【図３】
0003218176.tif 000005
【図４】
0003218176.tif 000006
【図５】
0003218176.tif 000007
【図６】
0003218176.tif 000008
【図７】
0003218176.tif 000009
【図８】
0003218176.tif 000010
【図９】
0003218176.tif 000011